(57)【要約】【課題】伸縮ポールの内部にリード線を挿通することなく、下部に配置した発光体から光束を出射して伸縮ポールの上端の拡散発光部を発光させる。【解決手段】不使用時には、伸縮ポール４を手動で押し下げて収縮しておくが、使用時には拡散発光部５を持って伸縮ポール４を引き上げる。スイッチによりリード線１１ａ、１１ｂ、調整抵抗１２を介して発光ダイオード１０に通電して点灯すると、その光束は真上の光誘導棒１２の集光面１２ａに入射する。周囲に拡散された光束はハウジング９の光拡散面である上面９ａ、伸縮ポール４のパイプ内で反射を繰り返しながら集光面１２ａに入射し、更に光誘導棒１２の内表面で反射を繰り返しながら先端の拡散発光部５に達し、この拡散発光部５の光拡散溝５ａで光が散乱されて発光し、キャップ１３を経て外部に出射される。【選択図】        図４
2004237883.tif 000002
【特許請求の範囲】
【請求項１】
内面を反射面とした複数本のパイプを積層して伸縮自在とした伸縮ポールの下方に発光体を配置し、前記伸縮ポールの最上位のトップパイプに下部に光集光面を有し上部に拡散発光部を有する透明材を取り付け、前記発光体からの光束が直接及び前記パイプ内面を反射しながら上方に進行して前記透明材の前記光集光面に達し、前記拡散発光部を発光させることを特徴とするランプ付伸縮ポール。
【請求項２】
前記パイプの内面は鏡面仕上げとした請求項１に記載のランプ付伸縮ポール。
【請求項３】
前記拡散発光部は合成樹脂製棒状体から成る前記透明材の上端に設けて前記トップパイプの上端から露出させ、前記光集光面は前記透明材の下端に設けた請求項１に記載のランプ付伸縮ポール。
【請求項４】
前記透明材の下端に前記発光体の表面を拭う清掃部材を付設した請求項３に記載のランプ付伸縮ポール。
【請求項５】
前記発光体は発光ダイオードとした請求項１に記載のランプ付伸縮ポール。
【発明の詳細な説明】
【０００１】
【発明の属する技術分野】
本発明は、自動車のコーナポール等に使用するランプ付伸縮ポールに関するものである。
【０００２】
【従来の技術】
従来、自動車は運転者の車幅の確認に有用なコーナポールを伸縮ポールとして備えている場合が多い。この種の伸縮ポールは、直径の異なる複数本のパイプを順次に伸縮自在に嵌合して成り、これらの複数本のパイプのうちの最上部に位置するトップパイプにランプを取り付けている。
【０００３】
【発明が解決しようとする課題】
しかし、このランプに対しては給電の必要があり、伸縮ポールを芯線により押し上げ押し下げる自動昇降式では、芯線内にリード線を通線すればよいが、手動で昇降させる型式では、伸縮ポール内を通過させるリード線の処理が厄介となる。
【０００４】
本発明の目的は、上述の問題点を解消し、構造を簡素化し、伸縮ポール内にリード線を通線する必要がないランプ付伸縮ポールを提供することにある。
【０００５】
【課題を解決するための手段】
上記目的を達成するための本発明に係るランプ付伸縮ポールは、内面を反射面とした複数本のパイプを積層して伸縮自在とした伸縮ポールの下方に発光体を配置し、前記伸縮ポールの最上位のトップパイプに下部に光集光面を有し上部に拡散発光部を有する透明材を取り付け、前記発光体からの光束が直接及び前記パイプ内面を反射しながら上方に進行して前記透明材の前記光集光面に達し、前記拡散発光部を発光させることを特徴とする。
【０００６】
【発明の実施の形態】
本発明を図示の実施の形態に基づいて詳細に説明する。
図１は自動車のバンパーに取り付け、伸縮ポールを伸長した状態の側面図、図２は収縮した状態の側面図である。自動車のバンパー１等に取り付けられた基部２には筒体部３が取り付けられ、筒体部３内には、発光ユニットが内蔵され、更に複数本のパイプ４ａ〜４ｅから成る伸縮ポール４が取り付けられており、収縮時には図２に示すように、パイプ４ａ〜４ｅを筒体部３内に収納できるようにされている。そして、最上位のトップパイプ４ｅ上には拡散発光部５が取り付けられている。
【０００７】
また、筒体部３は図３に示すように基部２に対し回動自在とされ、バンパー１の取付個所が傾斜していても、常に伸縮ポール４はその立ち上がり方向を真上に向けることができるようにされている。なお、基部２の底面には、バンパー１との間に介在させるゴム座６が取り付けられ、基部２から突出されたボルト７により、バンパー１にナットを用いて取り付けられるようになっており、図示しないリード線が引き出されている。
【０００８】
図４は伸縮ポール４を筒体部３内に収縮した状態の拡大断面図であり、発光ユニット８は基部２内に固定された合成樹脂製のハウジング９を基に組み立てられている。ハウジング９の頂部には、発光ダイオード１０が上方に光を出射するように固定され、この発光ダイオード１０に対して２本のリード線１１ａ、１１ｂが調整抵抗１２を介して接続されている。なお、リード線１１ａ、１１ｂにはスイッチ等が接続されているが、図示は省略している。また、発光ダイオード１０の周囲のハウジング９の上面９ａは光反射面とされている。
【０００９】
伸縮ポール４は順次に直径が異なる複数本のパイプ４ａ〜４ｅが伸縮自在に積層されて成り、これらのパイプ４ａ〜４ｅの内面は研磨されて鏡面仕上げとされている。各パイプ４ａ〜４ｅは図示しないストップ機構により、伸長時においては下位のパイプから抜け出ないように、また収縮時には下位のパイプ内に全長が入り込んでしまうことがないようになっている。
【００１０】
最上位のトップパイプ４ｅ内には、合成樹脂材から成る光誘導棒１２がリング状にかしめられることにより取り付けられていて、その下面は集光面１２ａとされ、光を周囲に発光するための上端の拡散発光部５がトップパイプ４ｅの上方に露出されている。拡散発光部５には、円周方向に複数段に切り込んだ粗面の光拡散溝５ａが形成され、透明のキャップ１３により覆われている。
【００１１】
また、光誘導棒１２の下端には、図５に示すような透明な合成樹脂材から成り、比較的軟質の清掃部材１４が付設されており、この清掃部材１４は薄肉の板材であり、先端に発光ダイオード１０の表面及びハウジング９の上面９ａを拭うために、発光ダイオード１０及び上面９ａの形状に合わせた切込部１４ａ及び舌片１４ｂが形成されている。
【００１２】
このランプ付伸縮ポールは、不使用時には図２に示すように伸縮ポール４を手動で押し下げて収縮しておくが、使用時には拡散発光部５を持って図１、図３に示すよう伸縮ポール４を引き上げる。そして、スイッチによりリード線１１ａ、１１ｂ、調整抵抗１２を介して発光ダイオード１０に通電して点灯させると、発光ダイオード１０は光を上方に向けて発する指向性を有するので、発光した光束の多くは直接に光誘導棒１２の集光面１２ａに入射する。周囲に発散した光束は、ハウジング９の上面９ａで反射し、更には伸縮ポール４のパイプ４ａ〜４ｅ内で反射を繰り返しながら集光面１２ａに入射し、光誘導棒１２の内表面で反射を繰り返しながら先端の拡散発光部５に達し、この拡散発光部５の光拡散溝５ａで光が散乱されて発光し、キャップ１３を経て外部に出射される。なお、この際に集光面１２ａに設けられた清掃部材１４は薄肉であり、かつ上方向に垂下しているために、集光面１２ａを遮光することは少ない。
【００１３】
また、伸縮ポール４の収縮時の任意の時に、拡散発光部５を持って光誘導棒１２を下方に押しながら回転させると、光誘導棒１２の下端に付設された清掃部材１４の切込部１４や舌片１４ｂが発光ダイオード１０の表面を拭うと共に、その周辺の反射面である上面９ａを清掃することになる。これにより、発光ダイオード１０や上面９ａに付着した塵埃などを拭い取ることができ、発光効率を良好な状態に維持することができる。
【００１４】
各パイプ４ａ〜４ｅの内面は、伸縮ポール４の引き上げ、引き下げ時に内側のパイプの外周ややリング状のストップ機構が摺動することによって、塵埃等が付着しても拭き取られ、鏡面状態が保持される。なお、このパイプ４ａ〜４ｅの内面は研磨仕上げとしたが、化学研磨や鍍金を施すことによって鏡面とすることもできる。
【００１５】
また、この種のランプは赤色、緑色などの有色光が使用されることが多いが、キャップ１１を着色してもよいし、或いは特定の色を発光する発光ダイオード１０を使用することができる。
【００１６】
【発明の効果】
以上説明したように本発明に係るランプ付伸縮ポールは、発光体を下方に置いたままで、伸縮ポールを伸長し、発光体からの光束を直接及びパイプ内面を反射させながら上方の拡散照射部に伝達できるので、簡素な構成とすると共に、故障も少ない。
【図面の簡単な説明】
【図１】伸縮ポールを伸長した状態の側面図である。
【図２】伸縮ポールを収縮した状態の側面図である。
【図３】基部に対し伸縮ポールの立ち上がり角度を変えた状態の側面図である。
【図４】ポールを収縮した状態の拡大断面図である。
【図５】光誘導棒の下端の斜視図である。
【符号の説明】
１  バンパー
２  基部
３  筒体部
３  伸縮ポール
４ａ〜４ｅ  パイプ
５  拡散発光部
５ａ  光拡散溝
８  発光ユニット
９  ハウジング
１０  発光ダイオード
１２  光誘導棒
１２ａ  集光面
１３  キャップ
１４  清掃部材
【図１】
2004237883.tif 000003
【図２】
2004237883.tif 000004
【図３】
2004237883.tif 000005
【図４】
2004237883.tif 000006
【図５】
2004237883.tif 000007